(57)【要約】【課題】  内容液を下方向に噴出するようにした吐出ノズルにおいて、ノズル孔を開閉する弁体が上下に動くようにした開閉弁部材を具備した液吐出器を提供すること。【解決手段】  ポンプのステムに嵌着され、吐出ノズルとヘッド部からなるノズルヘッドであって、ヘッド部は、ヘッド基部と可撓性の押圧部材からなり、吐出ノズルは、ヘッド基部に連設され、下方に開口するノズル孔を具えた吐出口部を先端に設けており、ノズル孔の開閉弁部材が、ノズルヘッドに内蔵されていることを特徴とする。【選択図】  図１
2005271924.tif 000002
【特許請求の範囲】
【請求項１】
ポンプのステムに嵌着され、吐出ノズルとヘッド部からなるノズルヘッドであって、
ヘッド部は、ヘッド基部と可撓性の押圧部材からなり、
吐出ノズルは、ヘッド基部に連設され、下方に開口するノズル孔を具えた吐出口部を先端に設けており、
ノズル孔の開閉弁部材が、ノズルヘッドに内蔵されていることを特徴とする液吐出器。
【請求項２】
吐出ノズルが、先端に下方に開口する吐出口部を設けたノズル管基部と、該ノズル管基部に嵌合するノズル管上部とからなっていることを特徴とする請求項１記載の液吐出器。
【請求項３】
開閉弁部材が、弁体と、該弁体に支点部を設けた連杆によって連結された押圧部と、押圧部の下端に連設された押圧部を上方に付勢する弾性体とを備えていることを特徴とする請求項１、２記載の液吐出器。  
【請求項４】
押圧部材が、中央部下面に開閉弁部材の押圧部に嵌挿する係合筒を垂設した頂壁と、該頂壁の外周下端に設けられた嵌合部とを具備していることを特徴とする請求項１〜３記載の液吐出器。
【発明の詳細な説明】
【技術分野】
【０００１】
本発明は、液吐出器、とくに吐出孔を開閉する開閉弁部材を内蔵した吐出ノズルを具えた液吐出器に関するものである。
【背景技術】
【０００２】
吐出ノズルを取着したノズルヘッドを押下げ操作して、一定量の粘性液を吐出ノズルより吐出するようにした液体射出装置において、吐出ノズル先端のノズル孔の目詰まりを防ぐため、ノズルヘッド内に、ノズル孔を開閉する先端２４を設けた通孔棒２５を内蔵した液体射出装置は、従来より知られている。
【特許文献１】実公昭６３−３７６号公報。
【発明の開示】
【発明が解決しようとする課題】
【０００３】
上記従来の射出装置は、吐出ノズルが水平方向に延びたもので、ノズル孔は、液体をほぼ水平方向に噴出するようにしており、ノズル孔を開閉する通孔棒は、水平方向に移動するだけであるので、液体を下方に噴出するようにした場合には、利用できなかった。
【０００４】
本発明は、上記問題を解決することを課題として、内容液を下方向に噴出するようにした吐出ノズルにおいて、ノズル孔を開閉する弁体が上下に動くようにした開閉弁部材を具備した液吐出器を提供することを目的とする。
【課題を解決するための手段】
【０００５】
本発明は、上記の課題を解決するため、液吐出器として、ポンプのステムに嵌着され、吐出ノズルとヘッド部からなるノズルヘッドであって、ヘッド部は、ヘッド基部と可撓性の押圧部材からなり、吐出ノズルは、ヘッド基部に連設され、下方に開口するノズル孔を具えた吐出口部を先端に設けており、ノズル孔の開閉弁部材が、ノズルヘッドに内蔵されていることを特徴とする構成を採用する。
【０００６】
吐出ノズルの実施例として、吐出ノズルが、先端に下方に開口する吐出口部を設けたノズル管基部と、該ノズル管基部に嵌合するノズル管上部とからなっていることを特徴とする構成を採用する。
【０００７】
開閉弁部材の実施例として、開閉弁部材が、弁体と、該弁体に支点部を設けた連杆によって連結された押圧部と、押圧部の下端に連設された押圧部を上方に付勢する弾性体とを備えていることを特徴とする構成を採用する。  
【０００８】
押圧部材の実施例として、押圧部材が、中央部下面に開閉弁部材の押圧部に嵌挿する係合筒を垂設した頂壁と，該頂壁の外周下端に設けられた嵌合部とを具備していることを特徴とする構成を採用する。
【発明の効果】
【０００９】
ノズルヘッド内に、ノズル孔を開閉する弁体が上下に動くようにした開閉弁部材を設けたことにより、内容液を下方に吐出するノズルヘッドのノズル孔の開閉に効果的に利用できるようになった。
吐出ノズルを、ノズル管基部とノズル管上部の二つに分けているので、開閉弁部材の内蔵が極めて容易にできるようになった。
【００１０】
ノズルヘッドの押下げ操作に応じて、ノズル孔を開閉するので、内容液吐出後に、ノズル内の残液による液だれを防ぐことができ、使用後には、大気の侵入は阻止されるので、内容液の変質や、固化、目詰まり等を防ぐことができる。
【発明を実施するための最良の形態】
【００１１】
次に、本発明の液吐出器ついて、図面を参照して説明する。
図１において、Ａは、ポンプＢのステムＢ１に嵌着されたノズルヘッドである。
【００１２】
ノズルヘッドＡは、ヘッド基部１と、該ヘッド基部１に連設された吐出ノズル２と、該ヘッド基部１の上部に嵌着された可撓性を有する押圧部材３と、ノズルヘッドＡ内に内蔵されたノズル孔を開閉するための開閉弁部材４とからなっており、ヘッド基部１と押圧部材３によって、ノズルヘッド押下げ用のヘッド部が構成されている。
【００１３】
吐出ノズル２は、ヘッド基部１に連設されたノズル管基部５と、ノズル管上部６とからなっており、ヘッド基部１は、ノズル管基部５の底壁と共通する底壁７と側周壁８によって形成されている。
【００１４】
底壁７の下面には、ポンプＢのステムＢ１に嵌着する嵌着筒９が垂設され、その内側にはポンプＢから内容液が流入する連通孔１０が穿設されている。
嵌着筒９内周はポンプＢのステムＢ１に嵌着され、外周下部にはポンプＢの取着部Ｂ２に嵌着するねじが設けられている。
【００１５】
図１〜３に示すように、側周壁８の所定の位置からノズル管基部５の側壁が連設され、連設部の側周壁８の上部には、ノズル管上部６が結合する切欠部１１が形成されている。
側周壁８上端には、押圧部材３が嵌着する嵌合部１２が設けられ、側周壁８内壁には押圧部材３の下端を載置する多数のリブ１３が配設されている。
【００１６】
ノズル管基部５は、ヘッド基部１の底壁７からのびる底壁１５と、側周壁８から連設される側壁１６とを具備しており、底壁１５の先端側には吐出口部１７が連設され、該吐出口部１７内にはノズル孔１８が配設されている。
側壁１６内周上端部には、ノズル管上部６と結合する係止部１９がヘッド基部１の切欠部１１まで配設されている。
【００１７】
ノズル管上部６は、頂壁２１と側壁２２とを具備し、ノズル管基部５上に載置され、切欠部１１に嵌合するように形成されている。
頂壁２１の切欠部１１側上面には、側周壁８の嵌合部１２と適合して円周の一部を形成する嵌合部２３が配設されている。
側壁２２外周下端部には、ノズル管基部５の係止部１９と結合する係止部２４が配設されている。  
【００１８】
押圧部材３は、ドーム状の頂壁２６が可撓性を有する材質で形成されている。
頂壁２６外周下端には、ヘッド基部１の嵌合部１２とノズル管上部６の嵌合部２３に嵌着する嵌合部２７が設けられている。
【００１９】
開閉弁部材４は、弁体３０と、ローラー部３１と、押圧部３２と、それらの部材を連結する連杆３３とから構成されており、押圧部３２下端部には、ばね板、コイルばね等の弾性体３４が連設されている。
【００２０】
本発明のノズルヘッドＡの形成にあたっては、まず、ヘッド基部１の底壁７、および底壁７に連設された底壁１５の上面に開閉弁部材４を載置する。
その際、図１、３に示すように、開閉弁部材４の弁体３０下端部がノズル管基部５のノズル孔１８上に係止され、ローラー部３１は底壁１５の内端部に、押圧部３２は底壁７のほぼ中央に載置される。
【００２１】
次に、ヘッド基部１の切欠部１１とノズル管基部５の係止部１９に、ノズル管上部６の側壁２２の一部と係止部２４を結合させ、ノズル管基部５とノズル管上部６とを一体化し、吐出ノズル２が形成される。
【００２２】
次に、押圧部材３の嵌合部２７を、ヘッド基部１の嵌合部１２とノズル管上部６の嵌合部２３に嵌着させる。
この時、押圧部材３の頂壁２６の中央下には、開閉弁部材４の押圧部３２が載置されている。
以上のようにして、本発明のノズルヘッドＡが形成される。
【００２３】
ポンプＢに関しては、ノズルヘッドの押し下げ操作に応じて容器内から内容液を吸い上げ、吐出ノズルから吐出するものであればよく、公知のポンプが採用されるので説明は省略する。
ノズルヘッドＡ下端の嵌着筒９をポンプＢのステムＢ１に嵌着させることにより、本発明の液吐出装置を得ることができる。  
【００２４】
次に、本発明液吐出器の使用態様と作用効果について説明する。
内容液の吐出にあたっては、まずノズルヘッドＡの嵌着筒９のねじとポンプＢ取付部との嵌着を外すことにより、ポンプＢ内のばねの復元力によりノズルヘッドＡは上昇する。
【００２５】
図４に示すように、ノズルヘッドＡの押圧部材３の頂壁２６を押圧していくと、頂壁２６が下方に変形し、開閉弁部材４の押圧部３２上端を押し下げ、該押圧部３２はローラー部３１を支点に弾性体３４を押し曲げて倒れ込んでいく。
このことにより、開閉弁部材４の弁体３０が連杆３３を介してローラー部３１を支点にして上方に持ち上がり、ノズル孔１８から係止が外れ、ノズル孔１８は開状態となる。
【００２６】
さらに、ノズルヘッドＡの頂壁２６へ押圧を加え、ポンプＢのステムＢ１を押し下げていくと、ポンプＢ内の内容液がステムＢ１より吐出され、ノズルヘッドＡの連通孔１０から流入し、吐出ノズルＡ内の流路を通りノズル孔１８より吐出される。
【００２７】
ノズルヘッドＡの頂壁２６への押圧を解くと、ポンプＢ内のばねの復元力によりノズルヘッドＡが上昇するとともに、内容液の吐出が止まり、容器内から内容液をポンプＢ内に吸い上げられる。
その時、図１に示すように、開閉弁部材４の押圧部３２がローラー部３１を支点に弾性体３４の復元力によりもとの位置に立ち上がり、押圧部３２の上端が頂壁２６下面を押し上げ、可撓性を有する押圧部３２はもとのドーム型に復元される。
【００２８】
そして、開閉弁部材４の押圧部３２がもとの位置に立ち上がることにより、弁体３０が連杆３３を介してローラー部３１を支点にして下方に下がり、ノズル孔１８を閉鎖し、ノズル孔１８は閉状態となる。
ノズル孔１８近くの内容液が、吐出ノズル上昇時に、ノズル孔１８から垂れ落ちることを防止することができる。
【００２９】
また、液吐出器を使用しない場合には、吐出ノズルの内部が大気から遮断されるので、大気中の塵埃、雑菌が吐出ノズルを通じて入って内容液を変質させたり、或いは溶剤の揮発によって内用液が固化したりすることを防ぐことができる。
さらに、ノズル孔１８の周辺、吐出ノズル内の残液による目詰まりをなくすこともできる。
【００３０】
容器の使用が長期にわたり、仮に、ノズルヘッド内で内容液の固化、目詰まり等が生じた場合も押圧部材３やノズル管上部６が着脱可能に形成されているため、容易にノズルヘッド内を洗浄することができる。
【００３１】
次に、押圧部材に係る別実施例について、説明する。
本実施例は、押圧部材の頂壁下面に、係合部として係合筒を垂設したもので、同一の部材については、添字ａを付けて図示し、説明を省略する。
【００３２】
図５において、３ａは押圧部材であり、ドーム状の頂壁２６ａの中央部には、開閉弁部材４ａの押圧部３２ａに係合する係合筒４０が垂設されている。
【００３３】
ノズルヘッドＡａが押上げられ、押圧部材３ａから手を離した場合には、押圧部３２ａは、係合筒４０に係合されたまま弾性体３４ａの復元力によって上昇し、ドーム状の頂壁２６ａが復元したときには、押圧部３２ａの上端部は、押圧部材３ａの係合筒４０によりもとの位置に維持される。
したがって、開閉弁部材４ａは、押圧部材３ａの押圧前の状態が維持され、弁体３０ａはノズル孔１８ａを確実に閉鎖させることができる。
【００３４】
押圧部材３ａと開閉弁部材４ａの押圧部３２ａとの係合部として、上記実施例に示した係合筒４０以外にも、押圧部材３ａの頂壁２６ａから軸体を垂設し、押圧部３２ａに穿設した孔内に挿通するようにしたもの、或いは、頂壁２６ａに小径の円筒を垂設して、押圧部３２ａの上端に、円筒内に挿通される軸体を形成したものでもよく、両者の係合部の形態は、実施例に限定されない。
【００３５】
前記実施形態では、開閉弁部材の支点をローラー形としたが、支点部として機能すればよく、ボール形、下半分のローラ形やボール形、下端を鋭角とした角柱、或いは、連杆の支点部から垂下する種々の形状の多角錐形などを採用することができ、さらに、連杆の支点部の両側に軸ピンを突設させ、ノズル側壁に軸受けを設けたものでもよく、実施形態の形状に限定されない。
【００３６】
また、ノズル管の形状も、開閉弁部材が支点や弁体として機能すればよいので、ほぼ四角形の他に、円形、楕円形、種々の形状の多角形など採用することができ、実施形態の形状に限定されない。
吐出ノズルの先端の方向も、真下のみでなく、傾斜した下方に向けられてもよい。
【産業上の利用可能性】
【００３７】
ノズル口を弁体により開閉可能な液吐出器として、下方向に液体を吐出できるようにしたことにより、液体石けん、洗剤、化粧料などを目的に応じて確実に下方向に吐出することができ、使用後は、吐出ノズル先端の液だれやノズルの目詰まりを防ぎ、衛生的に使用できるようになった。
【図面の簡単な説明】
【００３８】
【図１】本発明の液吐出器の断面立面図である。
【図２】液吐出器の分解図である。
【図３】押圧部材とノズル管上部を取り除いた上面図である。
【図４】ノズルヘッドの押下げ時の断面立面図である。
【図５】別実施例の説明図で、（ａ）は押圧部の押圧前、（ｂ）は押圧後の縦断面図である。
【符号の説明】
【００３９】
Ａ、Ａａ      ノズルヘッド
Ｂ            ポンプ
Ｂ１          ステム
Ｂ２          取付部
１            ヘッド基部
２            吐出ノズル
３、３ａ      押圧部材
４、４ａ      開閉弁部材
５            ノズル管基部
６            ノズル管上部
７、７ａ、１５  底壁
８、８ａ      側周壁
９            嵌着筒
１０          連通孔
１１          切欠部
１２、２３、２７、２７ａ  嵌合部
１３          リブ
１６、２２    側壁
１７、１７ａ  吐出口部
１８、１８ａ  ノズル孔
１９          係止部
２１、２６、２６ａ  頂壁
２４          係止部
３０、３０ａ  弁体
３１、３１ａ  ローラー部
３２、３２ａ  押圧部
３３、３３ａ  連杆
３４、３４ａ  弾性体
４０          係合筒
【図１】
2005271924.tif 000003
【図２】
2005271924.tif 000004
【図３】
2005271924.tif 000005
【図４】
2005271924.tif 000006
【図５】
2005271924.tif 000007